(57)【要約】【課題】チャンネル数が将来、大幅に増加しても受信機でのＥＰＧ表示での極端な応答性劣化を軽減することが可能なように、送受双方で柔軟かつ効率的かつ簡潔な方法及び装置で実現することすることを目的とする。【解決手段】複数チャンネル分についての放送予定の番組情報を記載するＥＩＴ（Event Information Table）の情報であるＥＩＴスケジュール情報を、同一の再送周期で伝送する周期グループ単位毎に別々のＳＩ（ＳＩ：Service Information）専用トランスポートストリームとした複数のトランスポートストリームを送信する送信手段とを備えた放送送信装置とを設ける。【選択図】  図１
2012227952.tif 000002
【特許請求の範囲】
【請求項１】
複数チャンネル分についての放送予定の番組情報を記載するＥＩＴ（Event Informatio
n Table）の情報であるＥＩＴスケジュール情報を、同一の再送周期で伝送する周期グル
ープ単位毎に別々のＳＩ（ＳＩ：Service Information）専用トランスポートストリーム
とした複数のトランスポートストリームを送信する送信手段とを備えた放送送信装置。
【請求項２】
複数チャンネル分についての放送予定の番組情報を記載するＥＩＴ（Event Informatio
n Table）の情報であるＥＩＴスケジュール情報を、同一の再送周期で伝送する周期グル
ープ単位毎に、別々のＳＩ（ＳＩ：Service Information）専用トランスポートストリー
ムとした複数のトランスポートストリームを送信する放送送信方法。
【請求項３】
複数チャンネル分についての放送予定の番組情報を記載するＥＩＴ（Event Informatio
n Table）の情報であるＥＩＴスケジュール情報の中で、再送周期が近い周期グループ単
位でグルーピングし、このグルーピングしたグループ毎に、別々のＳＩ（ＳＩ：Service 
Information）専用トランスポートストリームとした複数のトランスポートストリームを
送信する送信手段とを備えた放送送信装置。
【請求項４】
複数チャンネル分についての放送予定の番組情報を記載するＥＩＴ（Event Informatio
n Table）の情報であるＥＩＴスケジュール情報の中で、再送周期が近い周期グループ単
位でグルーピングし、このグルーピングしたグループ毎に、別々のＳＩ（ＳＩ：Service 
Information）専用トランスポートストリームとした複数のトランスポートストリームを
送信する放送送信方法。
【発明の詳細な説明】
【技術分野】
【０００１】
この発明は、デジタル放送に用いられる放送送信装置、放送送信方法に関するもので、
特に将来の多チャンネル放送拡充時においても番組配列情報の送出および受信を柔軟かつ
効率的かつ簡潔に実現できるように工夫した、放送送信装置、放送送信方法である。
【背景技術】
【０００２】
デジタル放送では一般にチャンネル選局情報や番組情報は、番組の映像音声信号ととも
にＭＰＥＧ−２  Ｓｙｓｔｅｍｓ規定のＴＳ（Transport Stream）という形式の中に、放
送信号として多重伝送される。チャンネル選局情報や番組情報の符号化伝送方式は番組配
列情報として、ＡＲＩＢ  ＳＴＤ−Ｂ１０で規定されており、ＳＩ（Service Informatio
n）とも呼ばれる各種の情報テーブルから構成される（非特許文献１参照）。
【０００３】
特に伝送周波数等を記載したチャンネル選局情報はＮＩＴ（Network Information Tabl
e）、ＢＩＴ（Broadcaster Information Table）、ＳＤＴ（Service Description Table
）の各テーブルに記載し、番組情報はＥＩＴ（Event Information Table）に記載される
。
【０００４】
受信機ではこれらの情報を取得し、番組の選局処理や電子番組ガイド（ＥＰＧ：Electr
onic Program Guide）等の番組情報表示に利用する。
【０００５】
ＳＩの各テーブルはセクション形式で多重されて伝送される。伝送されたＳＩは受信機
のＴＳ処理（ＴＳデコード）器でセクション抽出処理を行うが、この処理速度については
限界があるため、ＢＳや地上等の放送メディアではその運用においてＳＩ総計の伝送帯域
の上限（最大レート）を規定している。
【０００６】
また、この伝送帯域上限内においてＳＩを効率的に伝送するため、各放送メディアでは
このＳＩの各テーブルにおいては同一の再送周期で伝送する周期グループという概念を導
入している。周期グループは基本的にＮＩＴ、ＢＩＴ、ＳＤＴ［ａｃｔｕａｌ］、ＳＤＴ
［ｏｔｈｅｒ］等のＳＩテーブル毎に構成されるが、特にこれから放送予定の番組情報を
記載するＥＩＴ［ｓｃｈｅｄｕｌｅ］（以下、ＥＩＴスケジュール情報と記す）について
は一般に他のテーブルに比べ情報量が圧倒的に多く、ＳＩの情報量全体においても支配的
となっている。
【０００７】
このため、ＥＩＴスケジュール情報に関しては、特別に放送当日を起点に直近から所定
の期間までの番組情報を更に幾つかの周期グループに分割して伝送の効率化を図っている
。
【０００８】
ここでは以下、ＡＲＩＢ  ＴＲ−Ｂ１５“ＢＳ／広帯域ＣＳデジタル放送運用規定”第
四編（ＰＳＩ／ＳＩ運用規定）を例に、ＥＩＴスケジュール情報を中心に説明する（非特
許文献２参照）。
【０００９】
ＥＩＴスケジュール情報では、基本周期グループと２つの拡張周期グループが定義され
ている。
ＥＩＴスケジュール情報では、１日を、午前０時を起点にした３時間単位で分割したセ
グメントと呼ばれる時間帯毎にｅｖｅｎｔ（以下番組）の情報をまとめて伝送する。図６
は、このＥＩＴスケジュール情報の周期グループを示す。
【００１０】
ここで、基本周期グループのパラメータＤ１は放送当日を含み、それ以降のＥＩＴスケ
ジュール情報の最大伝送日数（例えば８日分）を示す。また、２つの拡張周期グループの
パラメータはそれぞれＳ１、Ｓ２で示す。
【００１１】
Ｓ１は、１ｓｅｒｖｉｃｅ（選局単位、以下チャンネル）当たりのセグメント数を示し
、現在時刻を含むセグメントも含む。Ｓ２はＳ１以降のセグメント数を示す。例えば、Ｂ
Ｓデジタル放送の場合には、Ｓ１：３（セグメント）、Ｓ２：１３（セグメント）、Ｄ１
：８（日）となっている。
【００１２】
そして、それぞれの周期グループに対し所定の再送周期を設定して多重伝送することに
なる。
統計的観点から通常、直近の番組情報ほど再送周期を短くする設定がなされている。例
えば、ＢＳデジタル放送の場合には、Ｓ１：１０秒、Ｓ２：１０秒、Ｄ１：３６０秒の再
送周期をデフォルトの再送周期としている。
【先行技術文献】
【非特許文献】
【００１３】
【非特許文献１】デジタル放送に使用する番組配列情報  標準規格  ＡＲＩＢ  ＳＴＤ−Ｂ１０  ４．３版（平成１８年９月２８日改訂）、発行所：社団法人  電波産業会、発行年月日：平成１８年９月
【非特許文献２】ＢＳ／広帯域ＣＳデジタル放送運用規程  技術資料  ＡＲＩＢ  ＴＲ−Ｂ１５  ３．８版（平成１８年９月２８日改訂）、第四編（ＰＳＩ／ＳＩ運用規定）、発行所：社団法人  電波産業会、発行年月日：平成１８年９月
【発明の概要】
【発明が解決しようとする課題】
【００１４】
ところで、ＢＳ（Broadcast Satellite）衛星放送やＩＰ放送等のようにチャンネル数
の増加が送出設備の拡充に合わせて比較的柔軟に実現できる放送メディアにおいては、放
送開始当初と数年後とではチャンネル数で時には２〜３倍規模での大きな差が生じること
がある。
【００１５】
チャンネル数の増加に比例してＥＩＴスケジュール情報の伝送情報量も増加するため、
ＢＳや広帯域ＣＳ（Communication Satellite）のように全チャンネル（ＴＳ）で全チャ
ンネルの番組情報を伝送する放送システムの場合には、伝送帯域の増加を抑制して上限内
に収めるためにはＳＩテーブルの各周期グループの再送周期を放送開始当初の規定から長
くすることで対処するしかない。
【００１６】
ところが、再送周期を長くすると受信機でＳＩテーブルの取得に要する時間が長くなっ
てしまう。受信機でのＥＰＧ表示は、これらＳＩテーブルを受信取得し、必要に応じて蓄
積して利用するが、受信機にたまたま必要な、最新のＳＩ情報が蓄積されている場合を除
けば、一般にＥＰＧ表示における番組情報提示の応答速度が低下してしまう。従って、再
送周期が２〜３倍もの規模で長くなると、特定の番組情報提示までに時間がかかり過ぎ、
もはやＥＰＧ表示が事実上機能しなくなってしまうという懸念もある。
【００１７】
なお、これは特定のＴＳにすべてのＥＩＴスケジュール情報を集中して伝送（以下、Ｓ
Ｉ専用ＴＳと記載）する別の放送システムにおいても状況は基本的に同じである。
【００１８】
このように従来の放送送信装置、放送送信方法においては、チャンネル数が増加した場
合、ＥＰＧ表示における番組情報提示の応答速度が低下してしまうという問題があった。
【００１９】
この発明は、チャンネル数が将来大幅に増加しても受信機でのＥＰＧ表示での極端な応
答性劣化を軽減することが可能なように、送受双方で柔軟かつ効率的かつ簡潔な放送送信
装置、放送送信方法を提供することを目的とする。
【課題を解決するための手段】
【００２０】
上記の目的を達成するために、この発明においては、複数チャンネル分についての放送
予定の番組情報を記載するＥＩＴ（Event Information Table）の情報であるＥＩＴスケ
ジュール情報を、同一の再送周期で伝送する周期グループ単位毎に別々のＳＩ（ＳＩ：Se
rvice Information）専用トランスポートストリームとした複数のトランスポートストリ
ームを送信する送信手段とを備えた放送送信装置を提供する。
【００２１】
また、上記の目的を達成するために、この発明においては、複数チャンネル分について
の放送予定の番組情報を記載するＥＩＴ（Event Information Table）の情報であるＥＩ
Ｔスケジュール情報を、同一の再送周期で伝送する周期グループ単位毎に、別々のＳＩ（
ＳＩ：Service Information）専用トランスポートストリームとした複数のトランスポー
トストリームを送信する放送送信方法を提供する。
【００２２】
また、上記の目的を達成するために、この発明においては、複数チャンネル分について
の放送予定の番組情報を記載するＥＩＴ（Event Information Table）の情報であるＥＩ
Ｔスケジュール情報の中で、再送周期が近い周期グループ単位でグルーピングし、このグ
ルーピングしたグループ毎に、別々のＳＩ（ＳＩ：Service Information）専用トランス
ポートストリームとした複数のトランスポートストリームを送信する送信手段とを備えた
放送送信装置を提供する。
【００２３】
また、上記の目的を達成するために、この発明においては、複数チャンネル分について
の放送予定の番組情報を記載するＥＩＴ（Event Information Table）の情報であるＥＩ
Ｔスケジュール情報の中で、再送周期が近い周期グループ単位でグルーピングし、このグ
ルーピングしたグループ毎に、別々のＳＩ（ＳＩ：Service Information）専用トランス
ポートストリームとした複数のトランスポートストリームを送信する放送送信方法を提供
する。
【００２４】
なお、装置に係る本発明は方法に係る発明としても成立し、方法に係る本発明は装置に
係る発明としても成立する。
また、装置または方法に係る本発明は、コンピュータに当該発明に相当する手順を実行
させるための（あるいはコンピュータを当該発明に相当する手段として機能させるための
、あるいはコンピュータに当該発明に相当する機能を実現させるための）プログラムとし
ても成立し、該プログラムを記録したコンピュータ読み取り可能な記録媒体としても成立
する。
【図面の簡単な説明】
【００２５】
【図１】本発明の送信装置の一例を示す説明図。
【図２】ＥＩＴスケジュール情報の伝送方法の例（（ａ）３ＴＳ分割伝送、（ｂ）２ＴＳ分割伝送、（ｃ）１ＴＳ伝送）を示す説明図。
【図３】ＥＩＴスケジュール情報の周期グループ送出指定情報のデータ構造の一例を示す説明図。
【図４】本発明の受信装置の一例を示す説明図。
【図５】本発明の受信装置のＳＩ取得処理の一例を示すフローチャート。
【図６】ＥＩＴスケジュール情報の周期グループを示す説明図。
【発明を実施するための形態】
【００２６】
以下、図面を参照しながら本発明の実施形態について説明する。
本明細書中では、ＩＰマルチキャスト放送（IP multicast broadcasting）も放送の一
部に含まれるものとして説明する。
（第１の実施形態）
以下、図面を参照してこの発明の実施の形態を説明する。まず、本発明に係るデジタル
放送の送信装置の全体構成例を図１に示す。なお、図中の実線はＳＩ等番組データの流れ
、波線は指定、指示等の制御信号を示すものとする。
【００２７】
図１において、映像や音声等から構成される放送信号１１１は映像／音声符号化部１１
２で圧縮符号化されてＴＳ多重化部１１３に出力される。ＴＳ多重化部１１３ではＳＩ生
成部１１５で生成されたＥＩＴ［ｐ／ｆ］等のＳＩ情報と共に映像や音声信号を多重化し
てトランスポートストリーム（ＴＳ）として出力する。ここでは簡単のため、１ＴＳ当た
り１ｓｅｒｖｉｃｅとして、全部でＮ本のチャンネル数が存在するものとしている。
【００２８】
番組関連情報１１４は現在および将来放送予定の全チャンネル（Ｎ本）の番組に関連す
る情報とする。ＳＩ生成部１１５ではこれらの情報がセクション形式の各ＳＩテーブルに
格納され、周期グループ伝送ＴＳ設定部１１６の設定に従って各ＴＳ多重化部１２１〜１
２３へ出力される。周期グループ伝送ＴＳ設定部１１６では、テーブル種別や周期グルー
プに基づいて出力先のＴＳが予め設定されている。特にＥＩＴスケジュール情報は情報量
が非常に多いため、その周期グループ毎にＳＩ専用ＴＳ１３１，１３２、１３３に分割し
て伝送するよう設定されている。
【００２９】
ＳＩ専用ＴＳ１３１，１３２、１３３ではそれぞれ同じ周期グループに属する全チャン
ネル分のＥＩＴスケジュール情報を収集した上で、周期グループ再送周期設定部１１７で
設定されている再送周期に従って多重化送出する。
【００３０】
図２（ａ）は、この様子を示す図である。テレビ型の拡張周期グループ１（Ｓ１）に属
する全チャンネル分のＥＩＴスケジュール情報はＳＩ専用ＴＳ１３１、拡張周期グループ
２（Ｓ２）に属する全チャンネル分のＥＩＴスケジュール情報はＳＩ専用ＴＳ１３２、Ｓ
１およびＳ２を除く基本周期グループ（Ｄ１）に属する全チャンネル分のＥＩＴスケジュ
ール情報はＳＩ専用ＴＳ１３３でそれぞれ分割して伝送することになる。
【００３１】
また、周期グループ伝送ＴＳ設定部１１６における周期グループ伝送ＴＳ情報では、Ｅ
ＩＴスケジュール情報のどの周期グループがどのＴＳで伝送されているかを記載し、ＳＩ
に多重化して伝送する。
【００３２】
図３に、ＥＩＴスケジュール情報の周期グループ送出指定情報のデータ構造の一例を示
す。これはＡＲＩＢ  ＳＴＤ−Ｂ１０記載のリンク記述子である。このリンク種別（link
age＿type）において、例えば周期グループ別のＳＩ専用ＴＳを次のように新たに定義す
る。
ＳＩ専用ＴＳ（Ｓ１含む）：０ｘ８０、
ＳＩ専用ＴＳ（Ｓ２含む）：０ｘ８１、
ＳＩ専用ＴＳ（Ｓ１およびＳ２を除くＤ含む）：０ｘ８２、
この記述子をＮＩＴにそれぞれ配置することで指定することができる。
図２（ａ）の例では、ＳＩ専用ＴＳ１３１、１３２，１３３がそれぞれ同一のネットワ
ーク上にあり同一のoriginal＿network＿id（その値をＸとする）を持つとして、それぞ
れを識別するtransport＿stream＿idをＡ、Ｂ、Ｃとすると、この記述子の構造に従い、
ＳＩ専用ＴＳ１３１のリンク記述子：
original＿network＿id=‘X’、
transport＿stream＿id=‘A’、
linkage＿type=‘0x80’
ＳＩ専用ＴＳ１３２のリンク記述子：
original＿network＿id=‘X’、
transport＿stream＿id=‘B’、
linkage＿type=‘0x81’
ＳＩ専用ＴＳ１３３のリンク記述子：
original＿network＿id=‘X’、
transport＿stream＿id=‘C’、
linkage＿type=‘0x82’
として、ＮＩＴのたとえばネットワークループに上記３個を配置すればよい。
なお、ＮＩＴに配置される他の記述子のフィールドを使って定義しても良いし、新たに
記述子を作成して定義してもよい。これらの場合にはＳＩの一部として多重伝送されるが
この配信方法に制限されるものではない。ＩＰ放送の場合のように双方向チャンネルが利
用可能な放送メディアでは、これらの情報を記載した別の情報テーブルをユニキャストで
配信してもよい。
【００３３】
また、ＥＩＴスケジュール情報以外のＳＩの周期グループに関しては明に言及していな
いが、これらはいずれも必要伝送帯域がＥＩＴスケジュール情報に比べ非常に狭いため、
上記のＳＩ専用ＴＳや映像音声多重ＴＳの双方に多重してアクセス効率の向上を図っても
問題にならない。
【００３４】
また、特に図示していないが図１のＴＳ多重化部１２１，１２２，１２３，１１３の出
力は衛星放送やＣＡＴＶ、地上放送では誤り訂正符号化や変調処理が施されて送出される
。ＩＰ放送では誤り訂正符号化処理の後、ＩＰパケット化をはじめとするＩＰ伝送に必要
な処理を行いマルチキャスト配信するための送信信号を生成する。
【００３５】
次に受信装置の基本構成例を図４に示す。なお、この実施形態では、放送信号を放送（
オンエアー）経由で受信することも可能な構成となっているが、通信路（ＩＰネットワー
ク）経由で受信する場合を中心に説明する。
【００３６】
図４において、デジタル放送受信装置４０１は、チューナ部４０２、デスクランブラ４
０３、ＴＳデコード部４０４、映像音声デコード部４０５、表示処理部４０６、制御部４
０７、キー入力部４０８、ＩＣカードＩ／Ｆ部４１０、メモリ部４１２、通信処理部４１
１から構成されている。
【００３７】
チューナ部４０２は、デジタル放送受信装置４０１に入力された放送波から所望のチャ
ンネルを選局し、この選局したチャンネルのトランスポートストリーム（ＴＳ）をデスク
ランブラ４０３へ出力する。ＴＳはコンテンツ保護のためにそのペイロード部が一般にス
クランブルされている。
【００３８】
通信処理部４１１は、Ｅｔｈｅｒｎｅｔ（登録商標）等のネットワーク回線に接続され
、ネットワークを介してＩＰパケットデータの送受信処理を行うものである。通信処理部
４１１は、チューナ部４０２と同様に、ＩＰ放送の番組配信サーバからのＩＰパケット化
された放送信号を受信し、ＩＰ伝送で施された誤り訂正符号の復号処理を行い、ＩＰパケ
ットからＴＳ信号を抽出し、デスクランブラ４０３へ出力する。
【００３９】
デスクランブラ４０３は、通信処理部４１１やチューナ部４０２から入力されたＴＳを
デスクランブルしてＴＳデコード部４０４へ出力する。
ＴＳデコード部４０４は、デスクランブラ４０３から入力されたＴＳからＰＳＩ（Prog
ram Specific Information）を基に必要なパケットを分離し、この分離したパケットから
更に、放送番組信号（映像、音声）の抽出や各種多重データ（各種ＳＩ（Service Inform
ation）データやＥＣＭ，ＥＭＭ等）を分離する。また、ＴＳデコード部４０４は、分離
した放送番組信号（映像、音声）を映像音声デコード部４０５へ出力する。
【００４０】
映像音声デコード部４０５は、ＴＳデコード部４０４から入力された放送番組信号（映
像、音声）のデコードを行い、表示処理部４０６へ出力する。
表示処理部４０６は、映像音声デコード部４０５から入力された放送番組信号（映像、
音声）を図示しない外部のモニタへ出力し表示・音声再生させる。また、表示処理部４０
６は、ユーザとのインターフェース機能を果たすために各種エラー情報の表示画像信号を
生成し、この生成した画像信号を放送番組信号（映像、音声）に代えて出力、或いは放送
番組信号（映像、音声）と合成して出力する機能を有している。また、表示処理部４０６
は、ＴＳデコード部４０４で分離されたＳＩから構成されたＥＰＧ画像信号を生成し、こ
の生成した画像信号を放送番組信号（映像、音声）に代えて出力、或いは放送番組信号（
映像、音声）と合成して出力する機能を有している。
【００４１】
キー入力部４０８は、リモートコントローラ（リモコン）４０９等のユーザインターフ
ェース機器からの赤外線等による遠隔操作信号を受信する機能を有している。メモリ部４
１２はＲＡＭ、不揮発性メモリで構成され、例えばチャンネル選局情報や番組情報の一部
は不揮発性メモリに格納される。
【００４２】
制御部４０７は、上記した各機能を統括して制御する機能を有しており、バス接続やシ
リアル通信接続等で各機能ブロックをコントロールする。
ＩＣカードＩ／Ｆ部４１０は、例えばＩＳＯ規格であるＩＳＯ７８１６に準拠したＩＣ
カードインターフェースである。
ＩＣカード４１５は契約管理や視聴制御を行うものであり、ＣＰＵ４１９，ＲＯＭ４１
６，ＲＡＭ４１７，不揮発性メモリ４２０，Ｉ／Ｆ部４１８等から構成されており、デジ
タル放送受信装置４０１とは、例えばＩＳＯ規格であるＩＳＯ７８１６に準拠したインタ
ーフェースで接続される。ＩＣカード４１５内の不揮発性メモリ４２０には、少なくとも
カードＩＤ、カード固有の鍵が予め設定されている。
【００４３】
制御部４０７は、ＴＳデコード部４０４でＴＳから分離されたＥＭＭやＥＣＭを、ＩＣ
カードＩ／Ｆ部４１０を介してＩＣカード４１５へ出力する。ＩＣカード４１５は、ＩＣ
カードＩ／Ｆ部４１０からＥＭＭが入力された場合、ＩＣカード４１５固有の鍵で復号し
て、ワーク鍵（Ｋｗ）等契約により取得される情報をＩＣカード４１５内の不揮発性メモ
リ４２０に記憶する。また、ＩＣカード４１５は、ＩＣカードＩ／Ｆ部４１０からＥＣＭ
が入力された場合、ＩＣカード４１５内の不揮発性メモリ４２０に記憶しているワーク鍵
（Ｋｗ）で復号して、番組を視聴可能か否かの判定後、視聴可能な場合にはスクランブル
を解くためのスクランブル鍵（Ｋｓ）をデジタル放送受信装置４０１へ出力する。
【００４４】
デジタル放送受信装置４０１では、制御部４０７がＩＣカード４１５から入力されたス
クランブル鍵（Ｋｓ）をデスクランブラ４０３にセットすることにより、デスクランブラ
４０３にてコンテンツのデスクランブルが行われて番組を視聴可能となる。
【００４５】
図５は、デジタル放送受信装置４０１での上記制御部４０７におけるＳＩ取得処理の制
御動作の一例をフローチャートで示している。
ステップＳ５０１：図１の送信装置の周期グループ伝送ＴＳ設定情報を抽出取得し、ス
テップＳ５０２へ進む。具体的には図３の例で言えば、ＮＩＴに配置された３個のリンク
記述子を抽出する。
【００４６】
ステップＳ５０２：ステップＳ５０１で得た周期グループ伝送ＴＳ設定情報の内容を解
析し、３本のＳＩ専用ＴＳとそこで伝送されているＥＩＴスケジュール情報の周期グルー
プを検知し、ステップＳ５０３へ進む。
【００４７】
ステップＳ５０３：周期グループＳ１のＥＩＴスケジュール情報を取得すべく、その伝
送ＴＳ（ＳＩ専用ＴＳ）を受信し、ステップＳ５０４へ進む。なお、これはＢＳデジタル
放送でいえば先に説明したように現在時刻が属するセグメントを含む３セグメント分、即
ち９時間分にそうとうする。
【００４８】
ステップＳ５０４：対象のＥＩＴスケジュール情報が未取得か、取得済みであってもそ
の更新が検知された場合には、ステップＳ５０５へ進み、そうでない場合にはステップＳ
５０７へ進む。
【００４９】
ステップＳ５０５：ステップＳ５０４で得たＥＩＴスケジュール情報に基づき、セグメ
ントＳ１のＥＩＴスケジュール情報を取得する。
ステップＳ５０６：ステップＳ５０５においてセグメントＳ１のＥＩＴスケジュール情
報の取得終了を検知した場合にはステップＳ５０７へ進み、まだ取得中であればステップ
Ｓ５０５へ戻り、取得を続ける。
【００５０】
ステップＳ５０７：次の周期グループＳ２のＥＩＴスケジュール情報を取得すべく、伝
送ＴＳ（ＳＩ専用ＴＳ）に切り換え、ステップＳ５０４に戻り受信し、一連の処理を繰り
返す。
【００５１】
なお、これは同じくＢＳデジタル放送の場合でいえば、Ｓ１の次の１３セグメント分、
即ち３９時間分に相当する。
なお、ステップＳ５０４で更新が検知されない場合にはＳ５０７へ飛び、次の伝送ＴＳ
（ＳＩ専用ＴＳ）を速やかに受信する。
なお、本発明では周期グループ単位に全チャンネル分のＥＩＴスケジュール情報をそれ
ぞれのＴＳに分割して伝送するため、受信機でのＥＰＧ表示でチャンネル方向のスクロー
ルを行った際にはＴＳ切替を行う必要がないので、チャンネルでグルーピングしてグルー
プ毎にＳＩ専用ＴＳを作成した場合と比較し、ＴＳ境界に当たる特定のチャンネル表示に
おいて時間を要してしまうというような応答劣化は生じない。
【００５２】
また、時間方向のスクロールに関しては、もともと統計的に再送周期の重み付けを行っ
ており、かつ周期グループ単位でのＴＳ切替えとなるため、この切替えでの応答劣化は目
立ち難い。
【００５３】
以上説明したとおり、この発明によれば、送信装置において１個のＴＳですべての周期
グループのＳＩ、特にＥＩＴスケジュール情報を伝送する場合に比べ、各ＴＳにおいて十
分なＳＩ伝送帯域が確保できるため、再送周期を短くして受信機での取得効率改善を図っ
たり、デジタル放送のチャンネル数が増加しても帯域上限内に収めることが容易で、チャ
ンネル数拡充に対して柔軟性のある送出システムが可能になる。
【００５４】
また、受信装置においても周期グループ単位に伝送される指定ＴＳからＥＩＴスケジュ
ール情報を取得することで、ＳＩの取得管理の負荷をそれほど増加させることなく、チャ
ンネル数の大幅拡充時にも一部チャンネルや全チャンネルの表示応答性の著しい劣化を伴
わずにＥＰＧ表示が可能となる。
【００５５】
この発明は、上記実施形態そのままに限定されるものではなく、実施段階ではその要旨
を逸脱しない範囲で構成要素を変形して具体化できる。また、上記実施形態に開示されて
いる複数の構成要素の適宜な組み合せにより種々の発明を形成できる。例えば、実施形態
に示される全構成要素から幾つかの構成要素を削除してもよい。更に、異なる実施形態に
亘る構成要素を適宜組み合せてもよい。
【００５６】
（第２の実施形態）
放送開始当初のようにチャンネル数が少なく伝送帯域が許すならば図２（ｂ）のように
２つの周期グループのＥＩＴスケジュール情報をグルーピングして１本の伝送ＴＳ（ＳＩ
専用ＴＳ）に多重したり、図２（ｃ）のように３つの周期グループのＥＩＴスケジュール
情報を１本の伝送ＴＳ（ＳＩ専用ＴＳ）に多重して伝送してもよい。
【００５７】
なお、本実施形態のようにＳＩ専用ＴＳの本数を少なくすれば、一般にはＳＩ取得のた
めのＴＳ切替に要する時間のオーバヘッドが少なくなり、より効率的である。チャンネル
数の増加に従い、段階的に周期グループ単位による分割伝送に利用するＳＩ専用ＴＳの本
数を簡単に増やしていくことができる。
【００５８】
なお、本発明は上記実施形態そのままに限定されるものではなく、実施段階ではその要
旨を逸脱しない範囲で構成要素を変形して具体化できる。また、上記実施形態に開示され
ている複数の構成要素の適宜な組み合わせにより、種々の発明を形成できる。例えば、実
施形態に示される全構成要素から幾つかの構成要素を削除してもよい。さらに、異なる実
施形態にわたる構成要素を適宜組み合わせてもよい。例えば、第１の実施形態と第２の実
施形態とを組み合わせ、所望の番組属性として、ジャンル、チャンネルを組みとしたもの
としてもよい。
【００５９】
この発明によれば、送信装置において１個のＴＳもしくは全てのＴＳで全ての周期グル
ープのＳＩ、特にＥＩＴスケジュール情報を伝送するのみの方法に比べ、各ＴＳにおいて
十分なＳＩ伝送帯域が確保できるため、再送周期を短くして受信機での取得効率改善を図
ったり、デジタル放送のチャンネル数が増加しても帯域上限内に収めることが容易で、チ
ャンネル数拡充に対して柔軟性のある送出システムが可能になる。
また、受信装置においても周期グループ単位に伝送される指定ＴＳからＥＩＴスケジュ
ール情報を取得することで、ＳＩの取得管理の負荷をそれほど増加させることなく、チャ
ンネル数の大幅拡充時にも一部チャンネルや全チャンネルの表示応答性の著しい劣化を伴
わずにＥＰＧ表示が可能となる。
【００６０】
（付記）
（１）  放送予定の番組情報を記載するＥＩＴ（Event Information Table）の情報で
あるＥＩＴスケジュール情報が入力される入力端と、
前記ＥＩＴスケジュール情報を、同一の再送周期で伝送する周期グループ単位で複数に
分割する分割手段と、
前記分割手段により分割された前記ＥＩＴスケジュール情報の複数のトランスポートス
トリームを送信する送信手段とを備えたことを特長とする放送送信装置。
（２）  放送予定の番組情報を記載するＥＩＴ（Event Information Table）の情報で
あるＥＩＴスケジュール情報を入力し、
前記ＥＩＴスケジュール情報を、同一の再送周期で伝送する周期グループ単位で複数に
分割し、
この分割された前記ＥＩＴスケジュール情報の複数のトランスポートストリームをそれ
ぞれ送信することを特長とする放送送信方法。
（３）  放送予定の番組情報を記載するＥＩＴ（Event Information Table）の情報で
あるＥＩＴスケジュール情報が入力される入力端と、
前記ＥＩＴスケジュール情報の中で、再送周期が近い周期グループ単位でグルーピング
して複数に分割する分割手段と、
前記グルーピングして複数に分割した前記ＥＩＴスケジュール情報のトランスポートス
トリームをそれぞれ送信する送信手段とを備えたことを特長とする放送送信装置。
【００６１】
（４）  放送予定の番組情報を記載するＥＩＴ（Event Information Table）の情報で
あるＥＩＴスケジュール情報を入力し、
前記ＥＩＴスケジュール情報の中で、再送周期が近い周期グループ単位でグルーピング
して複数に分割し、
前記複数のトランスポートストリームを送信することを特長とする放送送信方法。
（５）  同一の再送周期で伝送する周期グループ単位毎にＳＩ（Service Information
）を送出するトランスポートストリームを指定するＳＩ周期グループ送出指定手段と、
前記ＳＩ周期グループ送出指定手段により指定されたトランスポートストリームにおい
て所定の周期グループのＳＩ（Service Information）を送出するＳＩ送出手段と、
周期グループ単位でＳＩ（Service Information）の再送周期を設定するＳＩ周期グル
ープ再送周期設定手段と、
前記ＳＩ周期グループ送出指定手段の前記指定に応じたＳＩ周期グループ送出指定情報
を伝送するＳＩ周期グループ送出指定情報伝送手段とを有することを特徴とする放送送信
装置。
【００６２】
（６）  ＳＩ（Service Information）の各周期グループの送出ＴＳを検出するための
ＳＩ周期グループ送出指定情報を受信するＳＩ周期グループ送出指定情報受信手段と、
このＳＩ周期グループ送出指定情報受信手段により受信した前記ＳＩ周期グループ送出
指定情報を参照して、ＳＩ（Service Information）の各周期グループの送出ＴＳを検知
するＳＩ周期グループ伝送検知手段と、
前記ＳＩ周期グループ伝送検知手段により検知した送出ＴＳ毎に周期グループ単位のＳ
Ｉ（Service Information）を受信取得するＳＩ受信手段とを備えたことを特徴とする放
送受信装置。
【００６３】
（７）  ＳＩ（Service Information）の各周期グループの送出ＴＳを検出するための
ＳＩ周期グループ送出指定情報を受信し、
この受信した前記ＳＩ周期グループ送出指定情報を参照して、ＳＩ（Service Informat
ion）の各周期グループの送出ＴＳを検出し、
この検出した送出ＴＳ毎に周期グループ単位のＳＩ（Service Information）を受信取
得することを特徴とする放送受信方法。
【符号の説明】
【００６４】
１１１…放送信号、１１２…映像／音声符号化部、１１３…ＴＳ多重化部、１１４…番
組関連情報、１１５…ＳＩ生成部、１１６…周期グループ伝送ＴＳ設定部、１１７…周期
グループ再送周期設定部、１２１〜１２３…ＴＳ多重化部、１３１，１３２、１３３…Ｓ
Ｉ専用ＴＳ、４０１…デジタル放送受信装置、４０２…チューナ部、４０３…デスクラン
ブラ、４０４…ＴＳデコード部、４０５…映像音声デコード部、４０６…表示処理部、４
０７…制御部、４０８…キー入力部、４０９…リモートコントローラ（リモコン）、４１
０…ＩＣカードＩ／Ｆ部、４１２…メモリ部、４１１…通信処理部、４１２…メモリ部、
４１５…ＩＣカード、４１６…ＲＯＭ、４１７…ＲＡＭ、４１８…Ｉ／Ｆ部、４１９…Ｃ
ＰＵ、４２０…不揮発性メモリ。
【図１】
2012227952.tif 000003
【図２】
2012227952.tif 000004
【図３】
2012227952.tif 000005
【図４】
2012227952.tif 000006
【図５】
2012227952.tif 000007
【図６】
2012227952.tif 000008